(57)【特許請求の範囲】
【請求項１】
自然落下式点滴セットの点滴落下部に取り付け可能なセンサ子機と、該センサ子機との間で無線通信可能な携帯型親機と、で構成され、
前記センサ子機が、前記点滴落下部で自然落下する輸液の滴下又は滴下数を所定の計測時間内で検知又は計測するセンサ部と、
予め記憶された子機識別情報と検知又は計測した前記滴下又は滴下数とを滴下信号として無線送信するＲＦＩＤタグ部と、を備え、
前記携帯型親機が、電磁誘導又は電磁結合により前記ＲＦＩＤタグ部と交信して前記滴下信号を受信するＲＦＩＤリーダ部と、
受信した前記滴下信号に基づいて点滴速度を算出する演算部と、
算出した前記点滴速度を表示する表示部と、
前記携帯型親機の各構成部に電力を供給する親機電源部とを備え、
前記携帯型親機が、スイッチ操作により前記センサ子機に対して計測を開始させる計測開始信号を前記ＲＦＩＤリーダ部により送信可能であり、
前記センサ子機が、前記計測開始信号を受信した際に前記滴下又は滴下数の検知又は計測を行うことを特徴とする点滴計測システム。
【請求項２】
請求項１に記載の点滴計測システムにおいて、
前記携帯型親機が、前記センサ子機に対して前記滴下又は滴下数の計測時間を任意に設定可能な計測時間設定信号を前記ＲＦＩＤリーダ部により送信可能であり、
前記センサ子機が、受信した前記計測時間設定信号に基づいた計測時間で前記滴下又は滴下数の検知又は計測を行うことを特徴とする点滴計測システム。
【請求項３】
請求項１又は２に記載の点滴計測システムにおいて、
前記携帯型親機が、受信した前記滴下信号に基づいて得られた滴下間隔で点滅する滴下点滅部を備えていることを特徴とする点滴計測システム。
【請求項４】
請求項１から３のいずれか一項に記載の点滴計測システムにおいて、
前記携帯型親機が、スイッチ操作により前記センサ子機に対して該センサ子機を監視モードに設定する監視開始信号を前記ＲＦＩＤリーダ部により送信可能であり、
前記センサ子機が、前記監視開始信号を受信した場合、前記滴下数の計測を所定の計測時間で繰り返し行うと共に、計測した前記滴下数が所定の上限値以上又は所定の下限値以下の際に警報を発する警報機構を備えていることを特徴とする点滴計測システム。
【請求項５】
請求項１から４のいずれか一項に記載の点滴計測システムにおいて、
前記携帯型親機が、周囲を照明するための照明部を備えていることを特徴とする点滴計測システム。
【発明の詳細な説明】
【技術分野】
【０００１】
本発明は、自然落下式の点滴セットにおける輸液の点滴速度を計測可能な点滴計測システムに関する。
【背景技術】
【０００２】
病院等において自然落下式の点滴セットを用いて点滴を行う場合、看護師が時計を見ながら点滴筒（点滴落下部）における輸液の落下を目視して滴下数を計測し、この滴下数から点滴速度を計算して滴下数を調節している。この場合、滴下数の計測に手間がかかると共に、目視に依存するため、正確性に欠ける不都合がある。特に、夜間においては、暗闇中で懐中電灯等によって点滴筒を照らしながら計測を行うことから、手間が非常にかかると共に正確な計測が難しい。
【０００３】
このため、例えば特許文献１には、輸液の滴下時間を演算する演算手段、演算結果を表示する表示手段及び点滅する発光手段を有した点滴速度調整確認補助装置が提案されている。この装置では、単位滴下量当たりの滴下数等を看護師等が入力することで、点滴速度を演算し、表示することで、看護師の目視による計測を補助するものである。
【０００４】
また、点滴数を自動計測するセンサ部を備えた自動点滴速度調節装置や点滴の自動計測装置等が種々提案されていると共に、既に製品化もされている。例えば特許文献２には、点滴筒（点滴落下部）内で落下する輸液の滴下数を計測するセンサと、計測値を表示する表示部と、これらの演算処理を行うＣＰＵと、これらに電力を供給するバッテリー等と、これらを全て内蔵した筐体と、からなる点滴液体の計測装置が提案されている。
【０００５】
【特許文献１】特許第３１５６０２３号公報
【特許文献２】特許第３１３４９１６号公報
【発明の開示】
【発明が解決しようとする課題】
【０００６】
上記従来の技術には、以下の課題が残されている。
すなわち、従来の特許文献１の技術では、看護師による計測を補助することができるが、計測自体は滴下を目視することで行うため、看護師等の作業者に依存してしまい、計測の高い正確性を安定して保つことは難しい。また、従来の特許文献２の技術のような点滴の自動計測装置等では、一台の装置に、点滴数を計測するセンサ部、点滴数から点滴速度を演算する演算部、演算した点滴速度を表示する表示部、これらに電力を供給する駆動部、これらの制御を行う制御部、及び各操作を行うためのスイッチ部等、複数の部材や機構が備えられており、装置が高価になってしまうと共に小型化が難しく装着には支持台等が必要になる等の不都合があった。また、自動計測センサと計測結果の表示部と計測スイッチとを含む点滴計測装置の場合、点滴筒に取り付けた装置の計測スイッチを看護師等が押した際に、センサの位置ズレが生じ易く、計測に誤差が生じて正確性が低くなる不都合がある。
【０００７】
本発明は、前述の課題に鑑みてなされたもので、低コストでかつ小型化が可能であり、看護師等の計測作業が簡便かつ正確に行うことができる点滴計測システムを提供することを目的とする。
【課題を解決するための手段】
【０００８】
本発明は、前記課題を解決するために以下の構成を採用した。すなわち、本発明の点滴計測システムは、自然落下式点滴セットの点滴落下部に取り付け可能なセンサ子機と、該センサ子機との間で無線通信可能な携帯型親機と、で構成され、前記センサ子機が、前記点滴落下部で自然落下する輸液の滴下又は滴下数を所定の計測時間内で検知又は計測するセンサ部と、予め記憶された子機識別情報と検知又は計測した前記滴下又は滴下数とを滴下信号として無線送信するＲＦＩＤタグ部と、を備え、前記携帯型親機が、電磁誘導又は電磁結合により前記ＲＦＩＤタグ部と交信して前記滴下信号を受信するＲＦＩＤリーダ部と、受信した前記滴下信号に基づいて点滴速度を算出する演算部と、算出した前記点滴速度を表示する表示部と、を備えていることを特徴とする。
【０００９】
この点滴計測システムでは、センサ子機のセンサ部が輸液の滴下又は滴下数を所定の計測時間で検知又は計測すると共に、携帯型親機のＲＦＩＤリーダ部からの電磁誘導又は電磁結合によりＲＦＩＤタグ部が子機識別情報と検知又は計測した滴下又は滴下数とを滴下信号として無線送信するので、携帯型親機とセンサ子機とを通信可能な距離に近接させた状態で、子機識別情報と共に滴下数等の滴下情報を非接触で入手でき、これに基づいてセンサ子機を識別しつつ正確な点滴速度を容易に得ることができる。これによって点滴速度の調節を簡単かつ正確に行うことができる。特に、電波・電磁波を利用した非接触認証技術であるＲＦＩＤ機能を有するＲＦＩＤタグ部を採用しているので、読み取り可能な近距離までセンサ子機に携帯型親機を近接させたときのみ交信が行われて、隣接するベッド等の患者の点滴セットに取り付けた他のセンサ子機との混信を避けることができる。
また、センサ子機と携帯型親機とに分離された構成であり、少なくともセンサ部及びＲＦＩＤタグ部だけでセンサ子機を簡素に構成できるため、支持台等を用いずに点滴落下部に取り付け可能な大きさに小型化及び軽量化可能であると共に、センサ子機単体の製作コストを大幅に低減することができる。また、携帯型親機も、センサ部を備える必要がないため、小型化及び軽量化ができ、高い携帯性を得ることができる。
さらに、複数の点滴セットにそれぞれセンサ子機を取り付けしても、一台の携帯型親機で各センサ子機を子機識別情報で自動認識し、個別に滴下信号を受信して点滴速度を得ることができる。したがって、携帯型親機一台で多数の点滴セットにおける点適速度を一括して管理及び計測することが可能になり、点滴セット毎に演算部や表示部等の全機能を備えた装置を個別に用意する必要が無い。これにより、全体コストを大幅に低減することができると共に計測及び管理の効率化を計ることができる。
【００１０】
また、本発明の点滴計測システムは、前記携帯型親機が、前記センサ子機に対して前記滴下又は滴下数の計測時間を任意に設定可能な計測時間設定信号を送信可能であり、前記センサ子機が、受信した前記計測時間設定信号に基づいた計測時間で前記滴下又は滴下数の検知又は計測を行うことを特徴とする。すなわち、この点滴計測システムでは、携帯型親機がセンサ子機に対して滴下又は滴下数の計測時間を任意に設定可能な計測時間設定信号を送信し、センサ子機が計測時間設定信号に基づいた計測時間で滴下の検知又は滴下数の計測を行うので、携帯型親機側から計測の精度切替が可能であると共に、センサ子機の消費電力や計測作業効率を配慮した計測時間に設定可能である。
【００１１】
また、本発明の点滴計測システムは、前記携帯型親機が、スイッチ操作により前記センサ子機に対して計測を開始させる計測開始信号を送信可能であり、前記センサ子機が、前記計測開始信号を受信した際に前記滴下又は滴下数の検知又は計測を行うことを特徴とする。すなわち、この点滴計測システムでは、携帯型親機がスイッチ操作によりセンサ子機に対して計測を開始させる計測開始信号を送信し、センサ子機が計測開始信号を受信した際に滴下の検知又は滴下数の計測を行うので、単に携帯型親機とセンサ子機とを近接させただけでは計測を開始せず、スイッチ操作を行った時のみセンサ子機を駆動させることで、センサ子機の電力消費を極力抑制することができる。
【００１２】
また、本発明の点滴計測システムは、前記携帯型親機が、受信した前記滴下信号に基づいて得られた滴下間隔で点滅する滴下点滅部を備えていることを特徴とする。すなわち、この点滴計測システムでは、携帯型親機が、受信した滴下信号に基づいて得られた滴下間隔で点滅する滴下点滅部を備えているので、滴下点滅部で滴下を視覚的に確認することができる。特に、夜間の暗闇中での計測時に、直接滴下を目視せずに点滴速度の調節が可能である。
【００１３】
また、本発明の点滴計測システムは、前記携帯型親機が、スイッチ操作により前記センサ子機に対して該センサ子機を監視モードに設定する監視開始信号を送信可能であり、前記センサ子機が、前記監視開始信号を受信した場合、前記滴下数の計測を所定の計測時間で繰り返し行うと共に、計測した前記滴下数が所定の上限値以上又は所定の下限値以下の際に警報を発する警報機構を備えていることを特徴とする。すなわち、この点滴計測システムでは、携帯型親機がスイッチ操作によりセンサ子機を監視モードに設定する監視開始信号を送信可能であるので、携帯型親機側からセンサ子機を非接触で監視モードに設定することができる。また、センサ子機が、計測した滴下数が所定の上限値以上又は所定の下限値以下の際に警報を発する警報機構を備えているので、空液、詰まり又は流れ過ぎの状態を検知して警報により注意を促すことができる。
【００１４】
また、本発明の点滴計測システムは、前記携帯型親機が、周囲を照明するための照明部を備えていることを特徴とする。すなわち、この点滴計測システムでは、携帯型親機が、周囲を照明するための照明部を備えているので、夜間等の暗闇中でも照明部によって点滴落下部等を照明して確認可能で、懐中電灯等を持ち歩く必要がない。
【発明の効果】
【００１５】
本発明によれば、以下の効果を奏する。
すなわち、本発明に係る点滴計測システムによれば、センサ子機が、輸液の滴下又は滴下数を所定の計測時間で検知又は計測するセンサ部と、子機識別情報と検知又は計測した滴下又は滴下数とを滴下信号として無線送信するＲＦＩＤタグ部と、を備え、携帯型親機が、電磁誘導又は電磁結合によりＲＦＩＤタグ部と交信して滴下信号を受信するＲＦＩＤリーダ部を備えているので、非接触で簡単にかつ正確に点滴速度を計測でき、多数の点滴セットを管理することができると共に、装置の低コスト化、小型化及び軽量化が可能である。したがって、本発明の点滴計測システムを採用すれば、点滴に関し、看護業務の効率化及び安全性の向上、医療過誤の防止等を低コストで図ることが可能である。
【発明を実施するための最良の形態】
【００１６】
以下、本発明に係る点滴計測システムの一実施形態を、図１から図７を参照しながら説明する。
【００１７】
本実施形態の点滴計測システムは、図１に示すように、自然落下式の点滴セット１の点滴落下部２に取り付け可能なセンサ子機３と、該センサ子機３との間で無線通信可能な携帯型親機４と、で構成されている。
上記センサ子機３は、例えば点滴落下部２を挟むようにして取り付け可能な構造を有し、図１から図３に示すように、点滴落下部２で自然落下する輸液の滴下又は滴下数を所定の計測時間で検知又は計測するセンサ部５と、予め記憶された子機識別情報と検知又は計測した滴下又は滴下数とを滴下信号として無線送信するＲＦＩＤ（Radio Frequency Identification）タグ部６と、センサ部５に電力を供給するセンサ用電源部７と、を備えている。
【００１８】
上記点滴セット１は、輸液（薬液等）を入れた薬液バッグや薬液ビン等の点滴容器８と、該点滴容器８の下端に一端が接続され他端が患者の腕等に接続された輸液チューブ９と、該輸液チューブ９の途中に設けられた点滴筒である上記点滴落下部２と、で構成されている。なお、上記点滴落下部２は、自然落下する輸液の滴下を視認可能に透明な円筒形状とされている。
【００１９】
上記センサ部５は、例えば点滴落下部２を挟んでその両側に配されたＬＥＤ等の発光部５ａと受光部５ｂとを備え、発光部５ａからの光が滴下によって遮断されたことで滴下を検知し、滴下数をカウントするための光センサである。なお、センサ部５として、発光部５ａ及び受光部５ｂによる光の出射及び受光を光ファイバを用いて行っても構わない。また、上記光センサ方式のセンサ部５だけでなく、滴下を検知し、滴下数をカウント可能であれば超音波方式等の他の方式を採用しても構わない。
【００２０】
上記ＲＦＩＤタグ部６は、電波を利用した非接触認証手段であって、子機アンテナ部１０と、該子機アンテナ部１０に接続された非接触ＩＣタグであるＩＣチップ１１と、で構成されている。上記ＩＣチップ１１は、子機アンテナ部１０に接続され無線による信号の送受信が可能な処理回路である子機側送受信部１２と、該子機側送受信部１２に接続され送受信に関する演算処理等を行う信号処理制御部１３と、センサ子機３のＩＤである子機識別情報を記憶すると共に滴下をカウントした滴下数を記憶可能な子機メモリ部１４と、励起信号を受けた子機アンテナ部１０で生じた電流を直流電流に変換してＩＣチップ１１の各構成部へ供給して駆動する整流電源部１５と、を備えている。
【００２１】
上記子機型送受信部１２は、高周波信号の変調を行う変調回路及び復調を行う復調回路を有している。
上記信号処理制御部１３は、コントロールロジックを有し、子機型送受信部１２の復調回路で復調された高周波信号に基づいてセンサ部５に計測を開始する命令を送る機能を有している。なお、センサ部５は、点滴計測ロジックを有しており、該点滴計測ロジックが上記命令を受けると計測を開始するように設定されている。
【００２２】
また、信号処理制御部１３は、センサ部５から滴下の検知信号を点滴計測ロジックを介して入力し、設定された計測時間内に入力された検知信号の数を滴下数としてコントロールロジックを介して上記子機メモリ部１４に送って記憶させる機能を有している。さらに、信号処理制御部１３は、コントロールロジックを介して上記滴下数を子機識別情報と共に滴下信号として子機側送受信部１２の変調回路で変調し、子機アンテナ部１０を介して送信するよう設定されている。
また、信号処理制御部１３は、センサ用電源部７を制御してセンサ部５のＯＮ／ＯＦＦを行う機能を有している。
【００２３】
上記整流電源部１５は、励起信号である高周波信号を受けた子機アンテナ部１０で生じた起電力による高周波電流を直流電流に変換、整流し、ＩＣチップ１１の各構成部へ供給する電源として機能を有する。
上記センサ用電源部７は、小型の電池（例えば、ボタン電池等）やバッテリー等が採用される。
なお、ＩＣチップ１１に、子機アンテナ部１０を内蔵させてワンチップ化させたものを採用しても構わない。
【００２４】
上記携帯型親機４は、電磁誘導又は電磁結合によりＲＦＩＤタグ部６と交信して滴下信号を受信するＲＦＩＤリーダ部１６と、受信した滴下信号に基づいて点滴速度を算出する演算制御部（演算部）１７と、算出した点滴速度を表示する表示部１８と、受信した滴下信号に基づいて得られた滴下間隔で点滅するＬＥＤ等の滴下点滅部１９と、算出した点滴速度及び子機識別情報を記録する親機メモリ部２０と、携帯型親機４の各構成部に電力を供給する親機電源部２１と、各種操作のスイッチを有するスイッチ部２２と、暗所で周囲を照明するための照明部２３と、を備えている。
【００２５】
上記ＲＦＩＤリーダ部１６は、親機アンテナ部２４と、該親機アンテナ部２４に接続され親機アンテナ部２４を介して信号の送受信を行う処理回路である親機側送受信部２５と、で構成されている。このＲＦＩＤリーダ部１６は、センサ子機３との交信を行うために高周波信号を送信可能である。また、ＲＦＩＤリーダ部１６とセンサ子機３との交信可能距離は、各点滴セット１の配置等の使用状況に応じて、適宜設定される。
【００２６】
上記親機型送受信部２５は、送信側回路として送信する高周波信号の変調を行う変調回路と、変調した高周波信号の送信電力を増幅する送信電力増幅回路と、を有していると共に、受信側回路として、バンドパスフィルタと、受信した高周波信号の復調、検波及び増幅を行う復調・検波・増幅回路と、ノイズフィルタと、を有している。
【００２７】
上記演算制御部１７は、受信した滴下信号に基づいて種々の演算処理を行うと共に、携帯型親機４の各構成部の制御を行うコントロールロジックを有するＣＰＵ等である。
すなわち、親機アンテナ部２０で受信した高周波信号を、親機型送受信部２５において、バンドパスフィルタ、復調・検波・増幅回路及びノイズフィルタの順に通して処理し、演算制御部１７のコントロールロジックで演算処理することで点滴速度を算出している。
【００２８】
上記演算制御部１７は、ＲＦＩＤリーダ部１６を介して、センサ子機３に対して滴下又は滴下数の計測時間を任意に設定可能な計測時間設定信号を送信可能であり、センサ子機３は、受信した計測時間設定信号に基づいた計測時間で滴下の検知又は滴下数の計測を行うように設定されている。
また、演算制御部１７は、スイッチ操作によりＲＦＩＤリーダ部１６を介してセンサ子機３に対して計測を開始させる計測開始信号を送信可能であり、センサ子機３は、計測開始信号を受信した際に滴下の検知及び滴下数の計測を行うように設定されている。
【００２９】
さらに、ＲＦＩＤリーダ部１６は、スイッチ操作によりセンサ子機３に対して該センサ子機３を監視モードに設定する監視開始信号を送信可能である。
また、センサ子機３は、監視開始信号を受信した場合、滴下数の計測を所定の計測時間で繰り返し行うと共に、計測した滴下数が所定の上限値以上又は所定の下限値以下の際に警報を発する点滴監視ロジックを有した警報機構２６を備えている。
【００３０】
上記表示部１８は、例えば種々の情報が表示可能な液晶表示ディスプレイであって、点滴速度や子機識別情報等の各種情報が表示される。
また、表示部１８は、表示を照明する照明機構２７を備えている。例えば、照明機構２７としては、液晶表示ディスプレイを照明するＬＥＤ光源を用いたバックライトユニット等である。
【００３１】
上記親機電源部２１は、乾電池やバッテリー等が採用される。
上記スイッチ部２２は、計測開始信号を送信させる計測開始ボタン２２ａ、監視開始信号を送信させる監視開始ボタン２２ｂ、計測時間を切り替える計測時間切替スイッチ２２ｃ及び点滴種類を切り替える点滴種類切替スイッチ２２ｄ、滴下監視データをセンサ子機３から読み込むための監視データ取得ボタン２２ｅ等の種々のスイッチを備えた操作キーボード部である。なお、計測時間切替スイッチ２２ｃは、例えば５秒、１０秒、２０秒の３種類の切替が可能とされる。また、点滴種類切替スイッチ２２ｄは、例えば２０滴／ｍｌと６０滴／ｍｌとの２種類の切替が可能とされる。
【００３２】
上記照明部２３は、例えば消費電力が少ない白色ＬＥＤを用いたＬＥＤ照明装置であり、例えば携帯型親機４の前端面に設置されている。なお、照明部２３は、照明用ボタン（図示略）を押すことで発光する。
上記警報機構２６は、点滴監視ロジックで制御されて警報音を発するブザー等であって、その音量は点滴を行っている患者やその周囲に聞き取れる程度に設定される。また、警報機構２６には、移動時等に警報を切ることができるように、手動で警報機能をＯＮ／ＯＦＦできるスイッチ（図示略）が設けられている。
【００３３】
次に、本実施形態の点滴計測システムによる点滴速度の計測方法について、図５から図７を参照して説明する。
【００３４】
まず、図５のフローチャートに示すように、携帯型親機４を持った看護師等が巡回時等に点滴落下部２に取り付けられているセンサ子機３に携帯型親機４を近づける（ステップＳ０１）。この際、無線通信可能な距離として例えば２０ｃｍ以内に携帯型親機４とセンサ子機３とを近接させる。次に、携帯型親機４の点滴種類切替スイッチ２２ｄを操作して所定の点滴種類を選択し、設定する（ステップＳ０２）。
さらに、計測時間切替スイッチ２２ｃを操作して所定の計測時間を選択し、設定する（ステップＳ０３）。
【００３５】
上記近接状態で、携帯型親機４の計測開始ボタン２２ａを押すと（ステップＳ０４）、携帯型親機４のＲＦＩＤリーダ部１６から親機アンテナ部２４を介して計測開始信号が送信される。この際、計測開始信号には、選択した上記計測時間及び点滴種類の情報が含まれている。この計測開始信号を子機アンテナ部１０及びＲＦＩＤタグ部６により受信したセンサ子機３は、計測を開始する（ステップＳ０５）。すなわち、センサ部５により、設定された計測時間内で滴下数をカウントする。
【００３６】
計測時間内の計測が終了した後（ステップＳ０６）、カウントした滴下数及び子機識別情報を子機メモリ部１４で記憶すると共に、これらの情報を子機アンテナ部１０及びＲＦＩＤタグ部６により携帯型親機４へ送信する（ステップＳ０７）。なお、これら情報の送受信は、携帯型親機４からの高周波信号を受けた際の起電力によって行われる。また、センサ部５による計測自体は、センサ用電源部７による電力供給で行われる。
【００３７】
滴下数及び子機識別情報をＲＦＩＤリーダ部１６で受信した携帯型親機４は、演算制御部１７によって滴下数から点滴速度を演算処理して求め（ステップＳ０８）、この点滴速度を表示部１８がディスプレイ面に「滴／分」や「流量／ｈ」等の単位で表示する（ステップＳ０９）。この際、表示部１８の表示は、照明機構２７によって照明されているため、暗闇中でも表示を確認することができる。
なお、この計測時間の設定（ステップＳ０３）から点滴速度の表示（ステップＳ０９）までを繰り返し行うことが可能である。
【００３８】
さらに、監視モードに設定した場合、携帯型親機４の監視開始ボタン２２ｂを押すことで、監視開始信号が送信される（ステップＳ１０）。この監視開始信号を受信したセンサ子機３は、監視モードに設定され、一定時間毎に点滴数をカウントする監視モードを開始する（ステップＳ１１）。この監視モードでは、センサ子機３が、予め設定されている時間間隔で計測を行うようになっており、例えば、消費電力を抑えるため、１〜２分毎に１回１５秒（計測時間は点滴セットが移動される場合もあるため、長めの１５秒に設定）程度、滴下数の計測が行われる。
【００３９】
この監視モードでは、上記時間間隔で繰り返し計測される滴下数のデータは、子機メモリ部１４に順次記録、更新され、一定時間内の複数の滴下数データが滴下監視データとして蓄積されるようになっている。
【００４０】
また、この監視モードでは、図６に示すように、計測データが正常値から外れた場合、すなわち設定された計測時間内の滴下数が所定の上限値以上であった場合には流れ過ぎと点滴監視ロジックで判断し、また所定の下限値以下であった場合には空液又は詰まりが生じたと点滴監視ロジックで判断して（ステップＳ１３）、警報機構２６によって警報が鳴らされる（ステップＳ１４）。なお、これらの場合、携帯型親機４に対して警報信号を送信して報知する機能を警報機構２６に設け、警報信号を受信した携帯型親機４側で警報を鳴らす設定にしても構わない。また、警報機構２６として、異常表示灯を設け、警報だけでなく異常表示灯を点灯させても構わない。
【００４１】
また、携帯型親機４を持った看護師等が巡回時等に点滴落下部２に取り付けられているセンサ子機３に携帯型親機４を近づけ（ステップＳ１５）、携帯型親機４の監視データ取得ボタン２２ｅを押すと、携帯型親機４は滴下監視データを送信させるための監視データ読み込み信号をセンサ子機３に送信し（ステップＳ１６）、この信号を受け取ったセンサ子機３は、記録された滴下監視データと子機識別情報とを携帯型親機４に送信し、携帯型親機４が読み込むように設定されている（ステップＳ１７）。
【００４２】
さらに、滴下監視データと子機識別情報とを受信した携帯型親機４は、滴下監視データに基づいて算出した監視時の点滴速度記録と子機識別情報とを表示部１８に表示するように設定されている（ステップＳ１８）。これにより、一定時間過去から直近までの点滴滴下流量状況を表示・確認することができる。なお、この滴下監視データ及び子機識別情報も親機メモリ部２０に監視記録として記憶される。
【００４３】
次に、別の計測方法を、図７のフローチャートを参照して説明する。
この計測方法では、センサ子機３は予め計測時間内の滴下数ではなく、滴下を検知した際にその検知信号を滴下信号として送信するように設定されている。すなわち、この計測方法では、センサ子機３により計測が開始されるまでは上記計測方法と同様であるが（ステップＳ０５）、センサ子機３は、滴下毎に滴下信号を子機識別情報と共に送信する（ステップＳ２１）。
【００４４】
この滴下信号を受け取った携帯型親機４は、演算制御部１７が滴下信号の受信に合わせて滴下点滅部１９を点滅制御する（ステップＳ２２）。また、演算制御部１７は、滴下信号の受信間隔に基づいて点滴速度を演算処理して算出する（ステップＳ２３）。さらに、表示部１８は、子機識別情報と点滴速度とを表示する（ステップＳ２４）。この際、点滴速度は滴下信号の受信に応じて随時、更新されて表示される。この後、設定した計測時間が経過すると、センサ子機３による計測が終了し、携帯型親機４における点滴速度の更新が停止され、計測時間内の滴下数に基づいた点滴速度が表示部１８に表示される（ステップＳ２５）。
【００４５】
このように本実施形態の点滴計測システムでは、センサ子機３のセンサ部５が輸液の滴下又は滴下数を所定の計測時間で検知又は計測すると共に、携帯型親機４のＲＦＩＤリーダ部１６からの電磁誘導又は電磁結合によりＲＦＩＤタグ部６が子機識別情報と検知又は計測した滴下又は滴下数とを滴下信号として無線送信するので、携帯型親機４とセンサ子機３とを通信可能な距離に近接させた状態で、子機識別情報と共に滴下数等の滴下情報を非接触で入手でき、これに基づいてセンサ子機３を識別しつつ正確な点滴速度を容易に得ることができる。これによって点滴速度の調節を簡単かつ正確に行うことができる。特に、電波・電磁波を利用した非接触認証技術であるＲＦＩＤ機能を有するＲＦＩＤタグ部６を採用しているので、読み取り可能な近距離までセンサ子機３に携帯型親機４を近接させたときのみ交信が行われて、隣接するベッド等の患者の点滴セット１に取り付けた他のセンサ子機３との混信を避けることができる。
【００４６】
また、センサ子機３と携帯型親機４とに分離された構成であり、少なくともセンサ部５及びＲＦＩＤタグ部６だけでセンサ子機３を簡素に構成できるため、支持台等を用いずに点滴落下部２に取り付け可能な大きさに小型化及び軽量化可能であると共に、センサ子機３単体の製作コストを大幅に低減することができる。また、携帯型親機４も、センサ部５を備える必要がないため、小型化及び軽量化ができ、高い携帯性を得ることができる。
【００４７】
さらに、複数の点滴セット１にそれぞれセンサ子機３を取り付けしても、一台の携帯型親機４で各センサ子機３をＲＦＩＤ技術で取得した子機識別情報で自動認識し、個別に滴下信号を受信して点滴速度を得ることができる。したがって、携帯型親機４一台で多数の点滴セット１における点適速度を一括して管理及び計測することが可能になり、点滴セット１毎に演算部や表示部等の全機能を備えた装置を個別に用意する必要が無い。これにより、全体コストを大幅に低減することができると共に計測及び管理の効率化を計ることができる。
【００４８】
また、携帯型親機４がセンサ子機３に対して滴下又は滴下数の計測時間を任意に設定可能な計測時間設定信号を送信し、センサ子機３が計測時間設定信号に基づいた計測時間で滴下の検知又は滴下数の計測を行うので、携帯型親機４側から計測の精度切替が可能であると共に、センサ子機３の消費電力や計測作業効率を配慮した計測時間に設定可能である。
【００４９】
さらに、携帯型親機４がセンサ子機３に対して計測を開始させる計測開始信号を送信し、センサ子機３が計測開始信号を受信した際に滴下の検知又は滴下数の計測を行うので、単に携帯型親機４とセンサ子機３とを近接させただけでは計測を開始せず、スイッチ操作を行った時のみセンサ子機３を駆動させることで、センサ子機３の電力消費を極力抑制することができる。
また、携帯型親機４が、受信した滴下信号に基づいて得られた滴下間隔で点滅する滴下点滅部１９を備えているので、滴下点滅部１９で滴下を視覚的に確認することができる。特に、夜間の暗闇中での計測時に、直接滴下を目視せずに点滴速度の調節が可能である。
【００５０】
また、携帯型親機４がセンサ子機３を監視モードに設定する監視開始信号を送信可能であるので、携帯型親機４側からセンサ子機３を非接触で監視モードに設定することができる。また、センサ子機３が、計測した滴下数が所定の上限値以上又は所定の下限値以下の際に警報を発する警報機構２６を備えているので、空液、詰まり又は流れ過ぎの状態を検知して警報により注意を促すことができる。
また、携帯型親機４が、周囲を照明するための照明部２３を備えているので、夜間等の暗闇中でも照明部２３によって点滴落下部２等を照明して確認可能で、懐中電灯等を持ち歩く必要がない。
【００５１】
なお、本発明の技術範囲は上記実施形態に限定されるものではなく、本発明の趣旨を逸脱しない範囲において種々の変更を加えることが可能である。
例えば、携帯型親機４に、センサ子機３毎に点滴終了時間を入力できるように設定しても構わない。
【００５２】
また、携帯型親機４において受信した滴下信号から点滴速度（滴下流量）を算出して表示しているが、この点滴速度に基づいて滴下総量若しくは滴下残量を算出して表示させても構わない。
また、各センサ子機３の点滴速度及び子機識別情報を記録した親機メモリ部２０から、これら情報をパーソナルコンピュータ等に有線又は無線により送信可能にして、パーソナルコンピュータ等でデータ管理可能にしても構わない。
また、センサ子機において、センサ用電源部が無くても、ＲＦＩＤの電磁誘導からの電力供給で直接センサ部を駆動し、点滴の計測を行うようにしても構わない。
【図面の簡単な説明】
【００５３】
【図１】本発明に係る点滴計測システムの一実施形態において、点滴セットに装着したセンサ子機及び携帯型親機を示す正面図である。
【図２】本実施形態において、点滴セットに装着したセンサ子機を示す正面図である。
【図３】本実施形態において、センサ子機の構成を示すブロック図である。
【図４】本実施形態において、携帯型親機の構成を示すブロック図である。
【図５】本実施形態において、点滴計測システムによる計測方法を示すフローチャートである。
【図６】本実施形態において、点滴計測システムによる監視モードを示すフローチャートである。
【図７】本実施形態において、点滴計測システムによる計測方法の他の例を示すフローチャートである。
【符号の説明】
【００５４】
１…点滴セット、２…点滴落下部、３…センサ子機、４…携帯型親機、５…センサ部、６…ＲＦＩＤタグ部、１６…ＲＦＩＤリーダ部、１７…演算制御部（演算部）、１８…表示部、１９…滴下点滅部、２３…照明部、２６…警報機構
【図１】
0004830064.tif 000002
【図２】
0004830064.tif 000003
【図３】
0004830064.tif 000004
【図４】
0004830064.tif 000005
【図５】
0004830064.tif 000006
【図６】
0004830064.tif 000007
【図７】
0004830064.tif 000008